(57)【特許請求の範囲】
【請求項１】
膣内に挿入することができる閉鎖端部および管状部分を有する小袋を含み、該小袋はさらに該小袋に固定されるシールド部分に接続される開口端部を有し、ここで該シールド部分は外面および内面を有して使用者の会陰部を覆い、さらに、該小袋内に保持用スポンジを有する、女性用コンドームであって、
前記小袋は、該小袋と同じ壁厚を有する会陰部のシールドを形成しかつ、使用者の体の動きに自由に適応するように横方向にたたまれたり横方向に伸張するよう形成された伸張部を有し、
前記小袋は、前記シールド部分の外面上に装着前の位置を、かつ、前記シールド部分の内面部分上に装着後の位置を有し、
前記小袋は、その装着前の位置において、外部からアクセス可能なポケットを規定する入れ子型の部分を含み、さらに
前記外部からアクセス可能なポケットの内部に保持用スポンジが位置付けられ、
前記小袋が、前記保持用スポンジを前記小袋上に、その前記閉鎖端部に隣接して保持するための保持用部材を有することによって特徴付けられる、女性用コンドーム。
【請求項２】
前記ポケットを覆って、前記保持スポンジが前記外部からアクセス可能なポケットの中にあるときに前記保持用スポンジを封止するための、ロックおよび封止部材をさらに含み、
前記ロックおよび封止部材はその上に、前記小袋に前記開口端部に隣接して接続されて、その装着前の状態において前記入れ子型部分をロックするための区分をさらに含み、
前記ロックおよび封止部材は前記入れ子型部分からその装着のために取外すことが可能であり、
前記入れ子型部分には前記保持用スポンジを、前記小袋の前記開口端部を通じて装着位置へと前記シールド部分の外面から挿入することが可能であって、前記保持用スポンジは、使用中に引出されることのないように使用者の内部に前記閉鎖端部に対して位置付けられることによってさらに特徴付けられる、請求項１に記載の女性用コンドーム。
【請求項３】
前記ロックおよび封止部材が、前記ポケットの内部の前記保持用スポンジを液体封止することによってさらに特徴付けられる、請求項２に記載の女性用コンドーム。
【請求項４】
前記ロックおよび封止部材が、パッチとして形成されたカバーであって、前記パッチが前記小袋に取外し可能に接続されることによってさらに特徴付けられる、請求項２に記載の女性用コンドーム。
【請求項５】
前記ロックおよび封止部材は、前記シールド部分がそれを通じて前記小袋から外向きに延びて、装着に先だって前記シールド部分を前記入れ子型部分にクランプするための開口部を含む、請求項２に記載の女性用コンドーム。
【請求項６】
前記ロック部材および封止部材が、前記シールド部分がそれを通じて該女性用コンドームの装着前に位置付けられる開口部を有するリング部材であることによってさらに特徴づけられる、請求項２に記載の女性用コンドーム。
【請求項７】
前記ロックおよび封止部材は、前記シールド部分の前記外面に隣接して前記小袋の前記開口端部付近でたがいに接合される第１および第２の端部を含む、請求項２に記載の女性用コンドーム。
【請求項８】
前記ロックおよび封止部材は、前記シールド部分がそれを通じて前記小袋から外向きに延びて、前記シールド部分を装着前に前記入れ子型部分でクランプするための、開口部を含むことによってさらに特徴づけられる、請求項７に記載の女性用コンドーム。
【請求項９】
前記ロックおよび封止部材が、前記小袋上に前記ロックおよび封止部材を接続した後に前記開口部を閉じるための、折畳み可能な側部を有することによってさらに特徴づけられる、請求項５、６および８のいずれかに記載の女性用コンドーム。
【請求項１０】
前記保持用部材が、前記小袋の前記開口端部の方向に閉じるポケットであることによってさらに特徴づけられる、請求項１に記載の女性用コンドーム。
【請求項１１】
前記保持用部材が、射精の後に精子を吸収するための解放通路を両側に形成するために、前記小袋の前記閉鎖端部の幅にわたって接続されるストラップとして形成されることによってさらに特徴づけられる、請求項１に記載の女性用コンドーム。
【請求項１２】
前記スポンジに殺精子薬等が添加されることによってさらに特徴づけられる、請求項１に記載の女性用コンドーム。
【請求項１３】
前記保持用部材が、両側に開口部を有するポケットとして形成されることによってさらに特徴づけられる、請求項１に記載の女性用コンドーム。
【請求項１４】
前記シールド部分は、使用者の骨盤に適合するためのばね様の機構を特徴とする、端部が解放されたＶ字型のばね部材を有することによってさらに特徴づけられる、請求項１に記載の女性用コンドーム。
【請求項１５】
前記伸張部は、使用者の骨盤に適合する逆二等辺三角形の形をした三角形構造を有し、かつ、前記伸張部の平面範囲を通じて前記小袋と同じ壁厚を有して、横方向に自由に伸縮できるようにされ、かつ、前記伸張部には開口部が設けられ、前記開口部は、前記逆二等辺三角形の前記頂点におよび前記三角形構造の１対の翼部分に延びる、請求項１に記載の女性用コンドーム。
【請求項１６】
歩行、直立、着座および前屈状態等の種々の状態における使用者の会陰部に適合するよう、使用者の前方から後方および側部から側部の、ある角度を有するＶ字型のばね部材のばね作用を組込むことによってさらに特徴づけられる、請求項１４に記載の女性用コンドーム。
【請求項１７】
弾性ストラップを有し、該シールドの前記前面および背面は前記弾性ストラップで位置付けられる、請求項１に記載の女性用コンドーム。
【請求項１８】
前記シールドは、弾性ストラップを保持するよう該シールドの前記端部に組込まれた、より厚く比較的弾性のない部材で終端する、請求項１７に記載の女性用コンドーム。
【請求項１９】
前記コンドームは別のシールドを有し、前記会陰部のシールドは前記別のシールドによって完全に封止され、前記別のシールドにおける小さな開口部を交渉中に陰茎が通ることが可能である、請求項１に記載の女性用コンドーム。
【請求項２０】
前記会陰部のシールドは、交渉中、勃起した陰茎を外に出すことなく、自由に動くことが可能である、請求項１に記載の女性用コンドーム。
【請求項２１】
前記会陰部のシールドを覆う前記別のカバー用シールドは、前記会陰部のシールドの周囲に封止されて、陰茎の分泌物が該女性用コンドームから洩れ出るのを防ぐ、請求項１９に記載の女性用コンドーム。
【請求項２２】
前記開口端部が、交渉中に陰茎が通ることができる小さな開口部を有する接着式の封止シールドによってカバーされることによってさらに特徴づけられる、請求項１４に記載の女性用コンドーム。
【請求項２３】
交渉中、勃起した陰茎を外に出すことなく自由に動かすことができるように設計された、付着式の封止シールドによってさらに特徴づけられる、請求項１４または１７に記載の女性用コンドーム。
【請求項２４】
該開口端部をカバーしかつ、陰茎からの分泌物が該女性用コンドームの外に洩れないように前記会陰部のシールドの周囲に封止される、付着式のシールドによってさらに特徴づけられる、請求項１４に記載の女性用コンドーム。
【請求項２５】
シールドを包含する該小袋の該開口端部は、交渉中に陰茎が通ることを可能にする小さな開口部を有する別のシールドによって完全にカバーされる、請求項１７に記載の女性用コンドーム。
【請求項２６】
該開口端部が、陰茎の分泌物が該女性用コンドームの外に洩れないように前記会陰部のシールドの周囲に封止された付着式のシールドによってカバーされることによってさらに特徴付けられる、請求項１７に記載の女性用コンドーム。
【請求項２７】
交渉中に小袋が引出されることのないよう、該小袋の該開口端部付近に、外部にかつ別個に両側に組込まれる、２つの別個のスポンジ部材によってさらに特徴付けられる、請求項１、１４または１７に記載の女性用コンドーム。
【請求項２８】
該コンドームを膣内に配置するための入れ子型の閉鎖端部によってさらに特徴付けられる、請求項２７に記載の女性用コンドーム。
【請求項２９】
陰核を刺激するために、該シールドの裏側外部に、該小袋の該開口端部付近に位置付けられた、隆起したパッチ材料によってさらに特徴付けられる、請求項１に記載の女性用コンドーム。
【請求項３０】
陰核を刺激するために、該シールドの裏側外部に、該小袋の該開口端部付近に位置付けられた、隆起したパッチ材料を組込むことによってさらに特徴付けられる、請求項１４または１７に記載の女性用コンドーム。
【請求項３１】
陰核を刺激するために、該シールドの裏側の該シールド内部に、該小袋の該開口端部付近に位置付けられた、隆起したパッチ材料によってさらに特徴付けられる、請求項１に記載の女性用コンドーム。
【請求項３２】
陰核を刺激するために、該シールドの裏側の該シールド内部に、該小袋の該開口端部付近に位置付けられた、隆起したパッチ材料を組込むことによってさらに特徴付けられる、請求項１４または１７に記載の女性用コンドーム。
【請求項３３】
前記陰核の刺激用装置は、該小袋の該開口端部付近に、外側または内側に取付けられる、請求項１に記載の女性用コンドーム。
【請求項３４】
前記陰核用装置は、前記小袋上の隆起した表面部分である、請求項３３に記載の女性用コンドーム。
【請求項３５】
前記陰核用装置は、前記小袋の内部に成形された部分である、請求項３３に記載の女性用コンドーム。
【請求項３６】
前記陰核用装置は、円形のパッチである、請求項３３に記載の女性用コンドーム。
【請求項３７】
前記Ｖ字型のばね部材がたれることのないよう、使用者の腹部に接着するための、該小袋の上端部における接着部によってさらに特徴づけられる、請求項１４に記載の女性用コンドーム。
【請求項３８】
前記小袋が、前記保持用スポンジを整形するためにドーム型区分をその上に有することによってさらに特徴付けられる、請求項１に記載の女性用コンドーム。
【請求項３９】
前記小袋が小さな直径区分を有し、かつその上のドーム型区分が前記保持用スポンジを整形するために前記小さな直径区分よりも大きい直径を有することによってさらに特徴付けられる、請求項１に記載の女性用コンドーム。
【請求項４０】
前記スポンジが円筒形状を有することによってさらに特徴付けられる、請求項１に記載の女性用コンドーム。
【請求項４１】
前記スポンジが円筒形を有しかつ、前記ドーム型区分の直径よりも大きい直径を有することによってさらに特徴付けられる、請求項１に記載の女性用コンドーム。
【請求項４２】
前記Ｖ字型ばね部材が中空の部材であることによってさらに特徴付けられる、請求項１４に記載の女性用コンドーム。
【請求項４３】
前記小袋の伸張部が、前記Ｖ字型のばね部材に、その上に巻かれることによって接続されることによってさらに特徴付けられる、請求項１４に記載の女性用コンドーム。
【請求項４４】
前記中空の部材はプラスチックのストローであることによってさらに特徴付けられる、請求項１４に記載の女性用コンドーム。
【請求項４５】
前記小袋は、内側ポケットおよび外側ポケットを形成する入れ子型の区分を有し、前記内側のポケットおよび前記外側のポケットはその中に潤滑剤を有することによってさらに特徴付けられる、請求項１４に記載の女性用コンドーム。
【発明の詳細な説明】
発明の分野
本発明は、予防装置に関し、より特定的には、装着位置へと挿入することのできる小袋部分を有する、女性用コンドームに関する。
本願は、１９９６年１２月３１日に出願された仮出願６０／０３５，５４６号の一部継続出願である、１９９７年５月８日に出願された０８／８５３，０３０号の一部継続出願である。
発明の背景
性病が蔓延し、ＡＩＤＳ（後天性免疫不全症候群）の発現率が上昇している中、性交渉による体液のやりとりによってそれらの病気が伝染することを予防する、有効な手段がますます必要となっている。
これまで、肉体交渉によって体液が伝播されたりそれらの病気の原因にさらされることを防ぐ従来の手段には、コンドーム、ゼリー、クリーム等があった。
また、女性用の予防装置を提供することも提案されてきた。これらは、使用前に女性が装着し、使用後には処分することができるものであった。このような従来技術による、また提案されてきた装置は、その所期の目的を達成するためには好適ではあるが、さまざまな理由により、完全には有効でないことがわかっている。
女性が使用するための先行技術による予防装置の１例が、米国特許番号第３，５３６，０６６号に示されている。この米国特許番号第３，５３６，０６６号の特許は、パンツ型の着衣を開示しており、そのパンツの外部表面にベローズ構造の小袋が設けられている。このベローズは、使用前に女性の膣管内に予め挿入しておくことができる。ベローズを挿入した後に、その中にたたみ込まれていた部分が広げられて、その避妊具の使用中に勃起した陰茎に合せてベローズが伸張するようにしている。この装置は、ベローズ部分を予め挿入しておく必要があり、また、その大きな袋状の部材を膣管内に導くための手段も含まなければ、その部材を適所に保持するための手段も提供されていない。さらに、この装置の着衣部分は、ゴム材料でできており、使用者の腰部の大部分と、また、臀部および股関節部とも接触する構造となっており、したがって、使用前に長時間装着する場合、かゆみや不快感を伴うおそれがある。
Meldahlへの米国意匠特許番号第２５４，８０９号は、男性用避妊具として使用するための装置を開示している。この避妊具は、典型的なコンドームよりも大きな直径を有しているが、使用者と相手との間で体液が流れることを防ぐ装置として機能する部分を含んではいない。装置を適所に保持するためのストラップも設けられていない。
スイス特許番号第１１７，２３４号（１９２５）は、その端部にほぼ円形の枠部（カラー）を含む小袋を有する、女性用避妊具を開示しているが、使用者の会陰部全体をカバーしそれに適合するような部分をその装置に設けることは何ら示唆されていない。さらに、この装置を使用中にどのように適所に保持するかについての示唆も見当たらない。また、このコンドームのへりまたは枠部が、交渉中に膣内に入ってしまう可能性もあり、これを使用する両者が相手の体液にさらされてしまうおそれがある。
米国特許番号第４，７３５，６２１号も同様に、膣管内に挿入するための、薄壁の、コンドーム様の、管状予防装置を開示している。これは、その装置を膣管内に固定するよう、その一方端に弾性のリングを含む。
米国特許番号第４，７３５，６２１号の特許に開示される保持用リングは、コンドームと一体をなし、したがって、その製造には特別の工具が必要である。さらに、この保持用リングは、小袋の直径に対応する直径と、リングの直径と比較して小さい断面直径とを有する構造となっている。このため、リングは膣内に注意深く位置付けて膣としっかりと接触させるようにして、小袋が性交中に外れることがないようにせねばならない。また、この米国特許番号第４，７３５，６２１号の保持用リングは、勃起した陰茎と望ましくない接触をもたらして交渉中に痛みを生じさせるような方向に配向される場合がある。さらに、この外部リングは、交渉中に膣内に入ってしまう場合があり、使用者が両者とも体液にさらされてしまうおそれもある。
他にも女性用のコンドームは提案されている。たとえば、女性用コンドームの小袋部分を適所に保持するための弾性挿入要素が内部に配置されたものも提案されているが、その１例がＰＣＴ国際公開第９０／０００３８号パンフレットに示されている。この出願では、女性用コンドームの小袋部分の閉鎖端部内へと挿入物を入れることが可能であり、この出願の場合、その挿入物は、殺精子薬または抗ウィルス剤を含む、吸収性の可撓性発泡プラスチック材料である。この出願における女性用コンドームは、特別な挿入物を使用せねばならず、また、この女性用コンドームを使用者の内部の装着位置へと配備するのにアプリケータが必要である。
内部に保持用要素が配置された女性用コンドームの別の例が、米国特許番号第５，３２５，８７１号に示される。これは、挿入可能な保持用部材の使用を開示しており、この部材は、挿入中には収縮させておくことができ、女性用コンドームをその装着位置に配置した後には、急速に外向きに働く保持力付加装置として、また、殺精子薬や殺真菌薬等を投与するための装置としての役割を果たす。
これら上述の装置は、所期の目的のためには好適であるものの、その使用は容易ではなく、使用者のほとんどがその女性用コンドームを受入れかつ便利に利用しようとは思わないことがわかっている。
ＰＣＴ国際公開第９０／０００３８号パンフレットに相対するものが、米国特許番号第５，１９３，５５５号に開示されている。この発明は、図１に示すように、挿入用具１５を使用せねばならない。挿入用具を必要とする別の女性用コンドームが、米国特許番号第５，１４６，９３０号に示されている。米国特許番号第５，１９３，５５５号の特許においては、複数の指状突起を有する挿入物によって保持が提供されている。その挿入物は、中央部分と、放射状に外方向に延びる部分とを有し、後者が用具の挿入後に広がって、コンドームを適所に保持する。米国特許番号第５，１４６，９３０号の特許においては、一連の柔軟性のある突起物によって保持が提供されている。これらの突起物は、小袋の外側にあって、小袋が引出されるのを防ぐ方向に傾けられる。米国特許番号第５，１９３，５５５号の特許においても、米国特許番号第５，１４６，９３０号の特許においても、小袋は小袋への開口部のまわりに配されたシールドに接続され、小袋用の開口部は、広げられた部分を有するより厚いシールドのほぼ中央に位置付けられる。この、より厚いシールドが、膣の入口をカバーする一方で小袋の開口部を中央に保つ役割を果たしている。
これらのコンドームは保護の役割を果たしかつ使用者の会陰部をカバーするが、それらを使用者内に挿入することは困難であり、歩行中等にそれらを適所に保持する場合、不快感を伴う。なぜなら、その外側のより厚いシールドが、シールドの表面に対して小袋の開口部を中央に維持するために、常に広げられているためである。上述のコンドームはすべて、交渉中の両者または一方の喜びを低下させてしまう。
したがって、本発明の別の特徴は、小袋を含み、その小袋上に、小袋と同じ壁厚を有しかつ使用者の動きに自由に合わせられるように横方向に折りたたんだり広げたりすることのできるよう構成された伸張部が設けられる、容易に挿入が可能な女性用コンドームを提供することである。この構成は、シールドに対して小袋の開口部を中央に位置付けるよう広がった状態で配される、別個のより厚いシールド部材を必要としない。
図１の実施例において、シールド部分は、小袋と同じ壁厚で形成され、横方向に容易にたためるように工夫されている。したがって、一旦適所に挿入されれば、シールドはその０．０２ｍｍから０．０６ｍｍの厚さ範囲を有する薄い壁により、その正面壁部および背面壁部を使用者の動きに合わせて横方向にたやすく動かすことが可能となる。
女性用コンドームのさらに別の問題は、それらが性交の喜びを妨害し得ることである。そこで、本発明の別の局面に従って、小袋の両側に、スポンジ充填剤が設けられる。これらはシールドに密接して設けられ、膣壁との間の隙間を埋めて、陰核付近に陰茎を挿入するための締まった開口部を形成することによって、この女性用コンドームを使用する女性および男性の両者に対して刺激を提供する。
女性用コンドームのさらに別の問題は、それが不用意に外れたり、女性用コンドームから液が洩れたりすることである。したがって、本発明のさらに別の局面に従って、第２の予め成形された薄い部材が、女性用コンドームの開口端部上のシールドにヒートシールされる。これは、女性用コンドームの内部からの洩れに対するラビリンスシールを提供し、また、女性用コンドームの内部へと導く案内を提供する一方で、女性用コンドームの端部に、それが不用意に外れることを防ぐよう自動的に展開する、伸張部を提供する。
発明の概要
本発明において、女性用コンドームは、シールド部分の内面および外面に対して装着前の位置および装着位置を有する小袋を含む。該シールド部分は、女性用コンドームの小袋を最初に使用者上に位置付けることができるようにし、該シールド部分が使用者の会陰部をカバーするようにする。保持用スポンジは、小袋の、外部からアクセス可能なポケットの内部に位置付けられる。該外部からアクセス可能なポケットは、小袋の内面に、その閉鎖端部に隣接して接着された部材によって適所に保持される。保持用部材は、スポンジを、女性用コンドームの外部からアクセス可能な、小袋の入れ子型の部分において、装着前の位置に保持して、スポンジの挿入および、小袋を内部に配された装着位置内に完全に広げることを可能にする。その装着位置においてスポンジは、小袋の内面の、その閉鎖端部に隣接する部分を圧迫して、閉鎖端部を膣の壁部に対して保持し、かつしたがって、その装着部分において膣内に完全に広がった小袋を保持する。
本発明の別の局面において、該シールドは、小袋の開口端部上の伸張部である。これは、該小袋と同じ壁厚を有し、その周囲の少なくとも一部分上で開いており、それにより、前方角および後方角を有してＶ字型に整形されたリムに取付けられた会陰部に対するシールドの形状を調節可能に適合させ、かつ、女性用コンドームが装着位置にあるときに、使用者の状態が歩いたり座ったりと変化する間、使用者により快適さを提供するためのばね機構特性を有する、横方向の柔軟性を提供する。
本発明のさらなる特徴は、シールドの一部分をＶ字部材のまわりに巻き付けることによってシールドに接続された可撓性のＶ字型部材を有する、上記のようなＶ字型のリムを提供することである。
本発明の別の局面において、女性用コンドームは、シールド部分の内面および外面に対して装着前の位置および装着位置を有する小袋を含む。このシールド部分は、女性用コンドームの小袋を最初に使用者上に位置付けて、シールド部分が使用者の会陰部をカバーすることができるようにする。この小袋は、その閉鎖端部を規定するドーム型部分を含む。保持用スポンジは、このドーム型部分の内部に位置付けられる。ドーム型部分は、装着前に、小袋の入れ子型区分に接合される。装着前の位置にあるスポンジは、女性用コンドームの外部からアクセスすることが可能であり、それにより、スポンジを挿入して、小袋の入れ子型の区分を完全に内部に位置づけられた装着部分内に広げることが可能となる。その装着部分内において、スポンジは、ドーム型部分によって整形されて、膣壁に対して閉鎖端部を圧迫することによって、その小袋を膣内の装着部分において完全に広がった状態で保持できるようにしている。
本発明の別の局面に従って、本発明の女性用コンドームの小袋は、小袋の内面に、その閉鎖端部に隣接して接着された保持用ストラップを含み、その中にスポンジが、最初の組み立て時に位置付けられて、その後、小袋の、外部からアクセス可能なポケットを形成する入れ子型の外壁部分に対して位置付けられる。この保持用ストラップはまた、スポンジを覆うことで、陰茎の亀頭がスポンジに対して摩擦して痛みが生じることのないようにする。
本発明の別の局面において、保持用スポンジおよび入れ子型の小袋は、その入れ子型の小袋が装着前の位置にあるときに、ロックおよび封止部材によってカバーされる。このロックおよび封止部材は、入れ子型小袋内の潤滑剤が外部のパッケージに洩れ出ることを防ぎ、また、交渉中に潤滑剤をそのもともとの位置に保持することによって、交渉中、使用者に対して十分な潤滑剤が提供されるようにする。ロックおよび封止部材は、外部からアクセス可能なポケットから容易に取外すことができるようにされており、使用者はその後、小袋を、スポンジとともに、使用者内の完全に装着される位置へと、小袋がその装着位置から簡単には引出せないように挿入することができる。
本発明の１実施例において、外部からアクセス可能なポケットは、小袋に取外し可能に接続されたカバーを有する、ロックおよび封止部材によって封止される。このカバーは、その外部からアクセス可能なポケットが小袋上に位置付けられるときにそのポケットをロックおよび封止部材によって完全に閉じることができるものである限り、リング状、パッチ状、スリーブ状、または他のどのような構造であってもよい。
ロックおよび封止部材を含む種類のすべての実施例において、そのロックおよび封止部材はシールド部分の外面上に位置付けられ、それにより、シールド部分が会陰部上に適所に固定された後に女性用コンドームから容易に取外すことができるようにされている。
外部からアクセス可能なポケットを形成する、小袋の入れ子型の外壁部分は、装着位置へと挿入できるように位置付けられている。ここで、スポンジが、女性用コンドームの閉鎖端部とともに、使用者内の完全に装着される位置へと同時に位置付けられて、交渉中に引出されないようにしっかりと固定される。
したがって、本発明の１特徴は、シールド部分の外面部分上に巻き上げられた装着前の位置を有する小袋を含む、女性用コンドームを提供することである。この小袋はまた、その内面部分上に装着位置を有し、また小袋はその装着前の位置において、保持用スポンジをその中に有する外部からアクセス可能なポケットを規定する、入れ子型の外壁部分を含む。
本発明の別の特徴は、液体の外部パッケージへの洩れを抑制するための、外部からアクセス可能なポケットをカバーするロックおよび封止部材である。該ロックおよび封止部材は、入れ子型外壁部分を装着前の位置に固定するための、小袋にその開口端部に隣接して接続された区分を含む。該ロックおよび封止部材はまた、小袋をその装着位置で適所に位置付けることができるよう、簡単に取外しが可能である。
本発明のさらなる特徴は、保持用スポンジが、女性用コンドームの小袋に取外し可能に接続されたカバーによって一部覆われている、入れ子型のポケットの内部に位置付けられることである。
本発明のさらに別の特徴は、該ロックおよび封止部材が開口部を含み、それを通じて女性用コンドームのシールド部分が小袋から外向きに延びて、装着前にそのシールド部分がクランプされることである。
本発明のさらに別の目的は、開口部をその中に有するリング形状の、ロックおよび封止部材のカバーを提供することである。その開口部を通じて、シールド部分は、女性用コンドームのその装着位置への配置前に、使用者の会陰部と重なり合うように延びる。
さらに別の目的は、シールド部分の外面に隣接して、かつ女性用コンドームの小袋の開口端部付近で、たがいに接合される第１および第２の端部を含む、リング形状のロックおよび封止部材を提供することである。
本発明のさらに別の目的は、上述のような開口部をその中に有するロックおよび封止部材を、そのロックおよび封止部材に折畳み可能な側部を設けることによって、さらに封止することである。このような折畳み可能な側部は、ロックおよび封止部材を通じてシールド部分を挿入した後に、その開口部に重なるように位置付けることにより、開口部を通じたロックおよび封止部材の内部への洩れを防ぐことができる。
本発明のまた別の特徴は、封止される外部からアクセス可能なポケットを有する、小袋の入れ子型の外壁部分を形成するのに先立って、弾性の保持用スポンジを挿入するための、小袋の閉鎖端部の幅にわたるストラップ部分を含むことができることである。
本発明のまた別の特徴は、外部からアクセス可能なポケットを有する、小袋上の入れ子型の外壁部分を形成するのに先立って、弾性保持用スポンジを挿入するための、小袋の閉鎖端部の幅にわたる閉じた小袋として形成されるストラップ部分を含むことができることである。
本発明のまた別の特徴は、外部からアクセス可能なポケットを有する、小袋の入れ子型の外壁部分を形成するのに先立って、弾性の保持用スポンジを挿入するための、小袋の閉鎖端部の幅にわたって延びかつ横方向に開口端部を有する小袋として形成されるストラップ部分を含むことができることである。
本発明のさらに別の特徴は、女性用コンドームのシールド部分に隣接して、キャビティ充填剤として機能するスポンジ部材を装着することである。
本発明のまた別の特徴は、小袋の内部からの洩れを予防するために、かつ、性交中に不用意に外れることを防ぐために、女性用コンドームの入口端部に伸張可能なシールドを設けることである。
本発明のまた別の特徴は、交渉中に陰核に刺激を与えるために、小袋の中または上の、装着位置における陰核の付近に、適度に固い材料片を組込むことである。
図面の説明
本発明の他の利点、特徴および目的は、添付の図面に関連して以下の詳細な説明を読まれることにより、より明らかとなるであろう。
図１は、本発明の第１の実施例を、その装着前の位置で示す、立位正面図である。
図２は、図１に示す実施例を、その装着位置で示す、部分図である。
図３は、図１の線３−３に沿って矢印の方向から見た断面図であって、シールド部分の開口部と、ロックおよび封止部材の保持用タブ区分とを示す図である。
図４は、ロックおよび封止部材を取除いた後の断面図である。
図５は、装着前の状態に先立って、本発明の小袋部分の端部に保持用スポンジを接続するためのストラップを示す、部分図である。
図６は、図５の線６−６に沿って矢印の方向から見た断面図である。
図７は、図３および図４に示すロックおよび封止部材によって封止するのに先立って、外部からアクセス可能なポケットを形成する小袋の入れ子型の外壁内に位置付けられた、図５および図６に示した弾性の保持用スポンジを示す、拡大部分図である。
図８は、本発明の第２の実施例を、その装着前の位置で示す、立位正面図である。
図９は、図８の線９−９に沿って矢印の方向から見た、ロックおよび封止部材の拡大部分断面図である。
図１０は、本発明の別の実施例を、その装着前の位置で示す、立位正面図である。
図１１は、図１０の線１１−１１に沿って矢印の方向から見た、ロックおよび封止部材の拡大部分断面図である。
図１２は、ロックおよび封止部材の別の実施例を、部分的に組立てられた状態で示す、斜視図である。
図１３は、図１２に示した実施例を折りたたんだ状態で示す、斜視図である。
図１４Ａから図１４Ｄは、本発明を装着するための方法を示す図である。
図１５は、保持用スポンジをその中に有する女性用コンドームの小袋上に、ほぼ三角形状の伸張部を含み、該伸張部は、使用者の会陰部を覆う伸張部を構成するよう、ストラップに接続されるよう適合される、本発明のまた別の実施例を示す、立位正面図である。
図１６は、図１５の実施例を一部切欠いた、斜視図である。
図１７は、コンドームの小袋上に使用者の会陰部への伸張部を構成するための、ウィッシュボーン部材を含む、本発明の別の実施例の斜視図である。
図１８は、図１７の実施例を装着前の状態で示した図であって、小袋が使用者の内部に保持用スポンジを挿入するのを容易にするために入れ子にされている状態を示す図である。
図１９は、図１７に示すコンドームの立位側面図であって、小袋が装着された状態にあり、かつ、入口端部が使用者の会陰部を覆うように配置された状態を示す図である。
図２０は、図１９における矢印２０の方向から見た、装着されたコンドームの立位端面図である。
図２１は、図１８に示した入れ子型の装着前の状態を形成するのに先立って、コンドームの小袋の内面において適所に保持用スポンジを保持する、保持用部材を示す拡大部分図である。
図２２は、図１５、図１６、および図１７〜２０の実施例に示される、保持用スポンジの拡大斜視図である。
図２３は、本発明のまた別の実施例の斜視図である。
図２４は、図２３の線２４−２４に沿って矢印の方向から見た、断面図である。
図２５は、本発明のまた別の実施例の立位端面図であって、外向きに配置されたキャビティ充填剤を示すよう一部切欠いた図である。
図２６は、図２５に示した実施例を、小袋が装着前に入れ子にされている状態で示す、立位側面図である。
図２７は、図２５に示した実施例を、完全に装着されている状態で示す、立位側面図である。
図２８は、本発明のさらに別の実施例を示す立位側面図である。
図２９は、図２８に示した実施例の開口端部を示す立位端面図である。
図３０は、スポンジ保持用ホルダを形成するドーム型区分を示す、別の実施例を一部断面図で示した、立位側面図である。
図３１は、小袋をドーム型区分によって整形する前の、保持用スポンジの斜視図である。
図３２は、保持用スポンジが中に挿入されたドーム型区分を示す、図３０に示した実施例を一部断面図で示した、立位側面図である。
図３３は、図３０に示した実施例を装着前の状態で示す、立位正面図である。
図３４は、図３０に示した実施例を装着前の状態で示す、立位背面図である。
図３５は、図３３の線３５−３５に沿ってとられた、図３０の実施例の断面図であって、小袋上の入れ子型の区分を広げる前の状態を示す図である。
図３６は、図３３の線３６−３６に沿って矢印の方向から見た、拡大断面図である。
好ましい実施例の詳細な説明
ここで図１を参照して、女性用コンドーム１０が使用者上で装着される前の状態で示される。女性用コンドーム１０は、閉鎖端部１４および開口端部１６を有する小袋１２を含む。管状外壁部１７が、この閉鎖端部１４と開口端部１６とを接合する。シールド部分１８は、内面２０と外面２２とを有し、使用者の会陰部を覆うためのフロントパネル２１およびリアパネル２３を含む。シールド部分１８は、好適な弾性材料で作られて使用者の腰部に適合される、ひも状のウエストバンド２４に接合される。
本発明の１局面に従って、小袋１２は、図１および図３に２４で示される、巻き上げられた装着前の状態を有するよう、予め構成される。この装着前の状態では、小袋をフロントパネル２１の外面２２上の、後に説明するステップによって女性用コンドームを使用者が容易に装着することができるような位置に位置付けることで、小袋の位置を装着前の位置から使用者の膣道内の装着位置へと、容易に配置することができる位置に保つ。
より特定的には、図５に示すように、この目的を達成するために、小袋１２は、その閉鎖端部１４の幅にわたって接続された、スポンジ保持用ストラップ２６を有する。ストラップ２６は、半円形状を有し、２つの壁２６ａおよび２６ｂからなり、図６に示すような、傘状のカバーを形成して、弾性の保持用スポンジ２８の外部表面を、端部１４とストラップ２６との間に封入する。ストラップ２６はしたがって、使用中にスポンジ２８を覆い、それにより、陰茎とスポンジとが直接接触することのないようにし、また、スポンジによって小袋の内部にある潤滑剤が吸収されないようにしている。
本発明に従えば、このスポンジ部材および小袋１２は、シールド部分１８のフロントパネル２１の外部表面２２における、装着前の位置に配置されて、下に説明するように、装着のために使用者が容易にアクセスすることができるようにされている。この装着前の位置において、管状の外壁部１７は、小袋１２の壁区分３２および３４によって形成された入れ子型部分３０を有する。壁区分３２は、閉鎖端部１４から延びて、巻かれた区分３６で壁区分３４に接続されている。これらが合わさって、入れ子型部分３０は外部からアクセス可能なポケット３８を形成する。入れ子型部分３０を有するよう一旦形成されると、小袋１２は図１および図３に最も良く示されるロックおよび封止部材４０によって封止される。この実施例においては、ロックおよび封止部材４０は、たがいに固定される対向する端部４２および４４を有するリング形状を有する。ロックおよび封止部材４０の開口部４６は、フロントパネル２１およびリアパネル２３が図１に示すように使用者上に容易に位置付けられるように配されている。さらに、ロックおよび封止部材４０は、スポンジ２８を、使用者の前面上の、装着位置に位置付けるよう容易にアクセスが可能な装着前の位置へと、封止された状態で位置付ける。
より特定的には、ロックおよび封止部材４０の内側表面４８は、図３から最も良くわかるように、外部からアクセス可能なポケット３８をカバーしかつ封止する。巻かれた区分３６は、それ自身が折りたたまれて、ロックおよび封止部材４０は、装着に先立ってスポンジ部材２８内に存在するであろう液体の洩れを抑制する。
図１４Ａから図１４Ｄに示すように、図１から図４に示す本発明の実施例、すなわち女性用コンドーム１０は、パッケージを静かに解き、使用者の両手をウエストバンド２４の中に入れて、手のひらを内側に向けたままウエストバンド２４を広げるようにする。こうしてウエストバンド２４を伸ばすことで、女性用コンドームに容易に足を踏み入れることができる（図１４Ｂ）。この実施例においては、ロックおよび封止部材４０は、フロントパネル２１の両面を捕える、ノッチ４２ａにおいて容易に取外すことができる位置に位置付けられ、そこでそれは開口部４６を出る。ロックおよび封止部材４０はしたがって、女性用コンドームから容易にはがすことができ、それにより、入れ子型部分２６の外部からアクセス可能なポケット３８が開く（図１４Ｃ）。その後、小袋１２は、スポンジ２８とともに使用者の内部深くの、装着部分へと挿入することができ（図１４Ｄ）、それにより、スポンジ２８は拡大されて、性交渉中に小袋が引出されるのを防ぐ。分割型のリング部材４０が示されているが、開口部４６を有する連続したリングもまた、ロックおよび封止部材としての役割を果たすことができるであろう。
図８および図９に示した実施例においては、ロックおよび封止部材４８は、図９から最も良くわかるように、小袋１２の折りたたまれた巻かれた区分３６に重なるカバー５０を含む。カバー５０は、パッチ構造をしており、その内部表面に好適な接着剤５２を含んで、女性用コンドームがその装着位置に位置付けられるときに、巻かれた区分３６を閉じたまま保持する。カバー５０は、フロントパネル２１のまわりを結ぶひも５３によって適所に固定され、このひもは、外部からアクセス可能なポケット３０にアクセスすることができるように容易に取外すことができる。その後、この実施例の女性用コンドームは、上記と同様に装着される。
図１０および図１１に示した本発明のまたさらに別の実施例においては、ロックおよび封止部材５４は、巻かれた区分３６をぴったり覆うサックとして形成されたカバー５５を含む。この実施例において、カバー５５は、小袋とプレスばめ式で封止されているか、または、その装着前の位置において小袋と封止された関係にカバー５５を固定できるように、接着区分５６をその上に含んでもよい。所望であれば、カバー５５をシールド上の適所に固定するために、カバー５５を結びひも５８で留めてもよい。
図１２および図１３に示した本発明のまた別の実施例においては、所望であれば、図３および図４の実施例において設けられていた開口部４６を、折畳み可能な側部６２、６４を有するロックおよび封止部材６０をその上に設けることによって、さらに封止することも可能である。これら折畳み可能な側部６２、６４は、図１〜４に示した実施例における開口部４６に対応して形成された開口部４６’をその中に有する、内部パネル６６の両側に設けられる。
この実施例においては、シールド部分を引張ってロックおよび封止部材６０を通過させてから、折畳み可能な縁部６２、６４を、図１３に示すように、破線６６において重なり合うように折りたたむことにより、スポンジが装着前の位置にあるときにスポンジから液体が洩れ出ることのないよう開口部４６’を覆う。
図１５および図１６に示した本発明の実施例においては、伸張部７４を有する小袋７２を含む、女性用コンドーム７０が示される。この伸張部７４は、小袋と同じ壁厚を有し、これはたとえば、ほとんどの材料の場合、０．０２ｍｍから０．０６ｍｍの範囲内である。正面の伸張部７４は、骨盤部分の形にほぼ適合するように頂点７４ａおよび１対の翼区分７４ｂ、７４ｃを有する逆二等辺三角形の形状を有し、使用者の会陰部を覆う表面領域を有する。この正面伸張部７４は、その表面領域の平面の範囲を通じて小袋７２と同じ壁厚を有して、横方向に自由に伸縮して使用者の体の動きに合せられるようしている。伸張部７４は、小袋内部への開口部７５を規定し、この開口部７５は、逆二等辺三角形の頂点７４ａから１対の翼区分７４ｂ、７４ｃにまで延びる。
この実施例における保持用スポンジは、半月状のスポンジ７６として整形されており、これは、ストラップ７７によって小袋７２の閉鎖端部７８の先端に接続されている。この実施例において、ストラップ７７は、開口側部８０ａ、８０ｂを有するリング８０として形成されており、これを通じて半月状のスポンジの側部７６ａ、７６ｂが延びる。所望であれば、抗生物質または殺精子薬を加えることも可能である。この種の半月とリングの接続は、前述の実施例においても使用することが可能であり、その場合、このスポンジが第１の実施例に示したスポンジの代わりとなり、このリングがスポンジ保持用ポケットの代わりとなる。
図２１に、半月状のスポンジ７６および接続用リング７７を、入れ子型の装着前の位置に位置付けられた状態で示す。図２２においてスポンジ７６の斜視図を示すが、これは、ベース部７６ｃと、側面７６ｄおよび７６ｅと、その両側に側部部分７６ａ、７６ｂを有する湾曲した頂部７６ｆとを含む、円盤の半分を構成する。
先の実施例と同様に、小袋７２は装着前は、図１８に８２で示すように入れ子式にされている。装着前の状態において、小袋７２は使用者の正面に位置付けられて、２本の正面ストラップ８５、８７および背面ストラップ８９によって適所に保持される。これらストラップは、その遠端がすべてウエストバンド９０に接合されている。強化用のひも９０ａ、９０ｂを、ストラップと伸張部７４との接続点に設けることも可能である。
先の実施例はすべて、ロックおよび封止部材を有し、この部材が、装着前の状態において、スポンジを使用者に対して封止した状態で位置付ける。このロックおよび封止機構は、潤滑剤が広がるのを阻止し、スポンジを入れ子型の小袋内で適所に保持する。
所望であれば、これら実施例に示したコンドームは、使用時に所望の潤滑剤を提供できるように、潤滑剤または殺精子薬を含むパッケージ内に配置することも可能である。
ここで図１８〜２０に示す実施例をより具体的に参照する。この実施例においては、ストラップが省略されており、コンドーム８４は装着時に、それ自身が自らを支える（セルフサポート式の）適合型構造を提供して、小袋８６の入口を開閉させる使用者の横方向の動きを妨げることなく、会陰部をカバーすることができるように構成されている。より特定的には、この実施例においては、正面伸張部９１のみが提供される。図１５〜１６の実施例と同様に、この実施例においては、正面伸張部９１は、骨盤の形にほぼ適合するように頂点９３および１対の翼区分９２、９４を有する逆二等辺三角形の形状を有し、使用者の会陰部を覆うことのできる表面領域を有する。正面伸張部９１は、その表面領域の平面範囲を通じて小袋８４と同じ壁厚を有し、使用者の体の動きに合わせて横方向の伸縮が自由になされるようにしている。ほとんどの材料の場合、好適な壁厚は０．０２ｍｍから０．０６ｍｍの範囲である。この正面伸張部は、２つの翼区分９２、９４の間に形成される、小袋への入口９５を規定する。翼区分９２、９４は頂点９３で接合されており、頂点９３から離れた位置に自由縁部９２ａ、９４ａを有する。したがって、装着された状態で、翼区分９２、９４は小袋７２の壁部と一体の伸張部となり、小袋７２への入口開口部９５を規定する。この開口部９５は、挿入をたやすくするために、また使用者の動きに合わせた横方向の動きを妨げないようにするために、頂点９３にまで延びている。入口開口部９５自体は、小袋への入口の上方の場所においてその頂部で開口する。
小袋上に、一体型として形成された、自由縁部を有する単一の壁厚を有する伸張部を使用することにより、第１の実施例のように正面シールドが小袋の単一の壁の伸張部である場合と同様の、横方向の自由が提供される。
このコンドームの特徴は、翼部分９２、９４を部分的に取囲む、Ｖ字型のばね部材１００を備えることである。本発明の広い局面において、このばね部材は、たとえば歩行、直立、着座、前屈状態等の異なる状態において使用者の会陰部に適合できるように、使用者の前方から後方および側部から側部の、ある角度を有するものが選択されている。
より特定的には、Ｖ字型ばね部材１００は、頂点９３に位置付けられる頂点１０２を含む。間隔をおいて外向きに分かれるばね区分１０４と１０６とは、頂点１０２で接合されている。これらはそれぞれ、翼縁部９４ａ、９６ａに延びる遠端１０４ａ、１０６ａを有する。ばね区分１０４、１０６は、小袋７２がその装着位置におかれたときに、会陰部を覆うよう翼部分９４、９６を広げられるように、たがいに対して離れるようにわずかにバイアスされている。翼部は縁部９４ａ、９６ａで開いているため、それらは横方向にたやすく動くことができ、それにより、使用者がコンドームを装着した後に着座する際にも、ばね区分が互いに近づくように動くことが可能となる。このように動きを妨げない構造はまた、使用中にばね区分１０４、１０６が頂点１０２に対して動くことを可能にし、それにより、遠端１０４ａ、１０６ａが、図２０に破線で示したようにほとんど閉じるようにすることもでき、または、図２１に実線で示したように伸張された縁部９４ａ、９６ａの幅まで全開させることも可能である。このような横方向の伸縮により、たとえば歩行、着座、のび等の、幅広い動き中に使用者に対して伸張部９１の形状を適応させることができるようにし、したがって、コンドームの装着時の不快感をなくすようにしている。
さらに、図１９の立位側面図から最も良くわかるように、ばね区分１０４、１０６はいずれも、使用者から外向きに曲がっており、それにより、内側に引張る動作が、図１９に１０８で破線で示したように、ばね区分１０４、１０６が平らになることによって吸収される。このような作用は、使用者の会陰部への適合を改善することができる。なぜなら、ばね区分１０４、１０６の遠端の横方向の動きに対してピボット点として作用する頂点１０２を中心として、ばね区分１０４、１０６が横方向に互いに自由に近づいたり離れたりすることができるようにしながら、一方で、それらばね区分１０４、１０６が骨盤の近辺で使用者の隣接する形状に合せて曲がることができるようにするためである。
図１８〜２０に示したＶ字型のばねを利用する設計は、ロックおよび封止部材を含まない。なぜなら、この設計は、巻き上げる構造を含まずに包装されるためである。また、この設計においては、小袋は入れ子型とされる。入れ子型部分は、正面にポケットを、背面にもポケットを含む。潤滑剤はこれらのポケットに注入される。
図２３に示す本発明のまた別の実施例において、入口１１４および閉鎖端部１１６を有する小袋１１２を含む女性用コンドーム１１０が示される。この実施例において、入口は、小袋から延びかつ図１５〜１９に示したコンドームへの入口を形成する材料と同じ正面外観を有する材料の上に、二重翼構造を有する。この実施例においては、Ｖ字型のばね１０２が省略されており、この代わりに、二重翼表面１１８に適合する形状を有する、予め形成されたカバー層１２０が設けられる。この予め形成された層は、好適な熱可塑性材料から形成することができ、これは、骨盤における使用者の会陰部にほぼ適合できるようかつそれに適合するよう曲げることのできる内部表面１２２を含む形状へと、真空形成または他の方法で成形される。さらに、カバー１２０は、その間にスペース１２４を有する２層の入口を形成し、これが、小袋内部からその２層の入口の外部への洩れを防ぐラビリンスシールを規定する。さらなる特徴は、カバー１２０が小袋の内部とほぼ位置合せされかつ、勃起した陰茎をその２層の入口を通って小袋の内部へと導くための案内開口部を形成するよう適合された、開口部１２６を含むことである。カバー１２０はさらに、翼表面１１８材料から外向きに自由に動かすことが可能であり、それにより小袋の端部に伸張部を提供して、性交中に不用意にはずれることのないようにする。カバー１２０は、図２３において実線で２層の案内構造が示され、図２３において鎖線で伸張された状態が示される。
保持用スポンジ１２８が提供される。これは、そのスポンジを小袋１１２の内側の端面上に保持するために、解放型、リング型のいずれかの接続ストラップを有するか、または、閉じたポケット型のストラップを有することが可能である。
図２５〜２７に示した本発明の実施例において、１対の付加的なスポンジ様の部材がキャビティ充填用部材１３０および１３２として、上述のような入口伸張部１３４から離れた小袋１３３へと接続される。これら充填部材１３０、１３２の各々は、上述のスポンジ部材と同様に、スポンジ様の材料から作られる。これらは各々、小袋１３３の外側に、その両側に形成されたポケット１３５内に配置される。小袋の閉鎖端部における保持用スポンジは取除くことができる。これらキャビティ充填部材は、その中央において約１ｃｍから１．５ｃｍの厚さを有し、閉鎖端部に向かって先細りして、そこでは約０．５ｃｍの厚さとなる。部材１３０、１３２は、出産等によって広がった膣腔の内部を埋めるよう提供される。部材１３０、１３２は、膣腔の前方１／３を埋めるように位置付けられて、陰茎亀頭周辺を締付ける。これにより、この女性用コンドームは、女性にも男性にも同時に性的な刺激を与えることができる。
図２８に示した実施例においては、隆起した、適度に固いパッチ１００が、小袋９９の上に、その上方表面において、開口端部付近に設けられる。これは、性交中に陰核を刺激する。
図２９に示した実施例においては、小袋の開口端部におけるリム１０２に近い最も外側の部分に、２つの接着バンド１０３、１０４が設けられて、コンドームを装着した後にリムがたれることのないように、腹部に付着するのに用いられる。
図３０〜３６に示した本発明の実施例においては、入口伸張部１４４を有する小袋１４２を含む女性用コンドーム１４０が示される。伸張部１４４は、たとえば、ほとんどの材料においては０．０２ｍｍから０．０６ｍｍの範囲内の、小袋と同じ壁厚を有する。入口伸張部１４４は、骨盤の形状にほぼ適合するよう、頂点１４４ａ、および１対の翼区分１４４ｂ、１４４ｃを有する逆二等辺三角形の形状を有し、使用者の会陰部を覆う表面領域を有する。この入口伸張部１４４は、その表面領域の平面範囲を通じて小袋１４２と同じ壁厚を有して、使用者の体の動きに合わせて横方向に自由に伸縮することができるようにしている。伸張部１４４は、小袋内部への開口部１４５を規定し、開口部１４５は、逆二等辺三角形の頂点１４４ａから１対の翼区分１４４ｂ、１４４ｃに延びる。
この実施例において、小袋１４２は、小袋の閉鎖端部を規定しかつ、保持用スポンジ１４８を整形するよう設けられた、ドーム型部分１４６を含む。
この実施例における保持用スポンジ１４８は、ドーム型部分１４６の直径よりも大きい直径を有する円筒形の部材として整形されており、それにより、ドーム型部分１４６がスポンジ１４８を、下に説明するように、挿入を容易にするために湾曲した形状を有するように整形するようにしている。この湾曲した形状は、図３２および図３４において最も良く示されるように、小袋の端面１５０によって規定される。保持用スポンジ１４８は、図３１に斜視図で示されるが、これは、ベース面１４８ａと上部面１４８ｂと周辺面１４８ｃとを有する、円盤を構成する。円筒形状が示されるが、ドーム型部分１４６と入口伸張部１４４との間でより短い直径で形成される小袋区分１４３から放射状に外向きに延びる突起を小袋内に形成するよう適合できるものであれば、球、半球、または他の形態等の、他の形状を使用することも可能である。
図３３、３４、および３６においては、保持用スポンジ１４８およびドーム型部分１４６は、入れ子型の装着前の状態で示されている。上記実施例と同様に、装着に先立って、小袋１４２は図３６に１５２で示すように入れ子式にされる。この装着前の状態において、小袋１４２は、使用者の正面に位置付けられて、表面１５０が膣にいつでも挿入できるように保持される。
したがって、図１６〜１８の実施例のように、コンドーム１４０には、小袋１４２の入口を開閉させる使用者の横方向の移動を妨げることなく、会陰部を覆うための、セルフサポート式の適合型構造が備えられる。より特定的には、この実施例においては、正面伸張部１４４は、その正面伸張部が骨盤の形にほぼ適合するように整形された中空の部材１５４によって形成される三角形構造を有し、使用者の会陰部を覆う表面領域を有する。この中空の部材１５４は、頂点１６０において接合される翼区分１５６、１５８を有するよう整形された、プラスチックストローである。翼区分１５６、１５８は、頂点１６０から間隔をおかれた自由端部１５６ａ、１５８ａを有する。中空部材は、小袋内部への開口部１４５を規定する伸張部１４４を広げるようＶ字型に形成され、開口部１４５は、逆二等辺三角形の頂点１４４ａから、１対の翼区分１４４ｂ、１４４ｃへと延びる。
本発明の１局面において、伸張部１４４の縁端部１４４ｄは、図３５に最も良く示されるように、中空部材１５４のまわりに巻き付けられて、それらの間に接続１６２を形成する。所望であれば、好適な接着材料の層によって、伸張部１４４と中空部材１５４との間にさらなる接着が提供されてもよい。この中空部材は、たとえば歩行、直立、着座、前屈状態等の異なる状態における使用者の会陰部に適合するように、使用者の前方から後方および側部から側部の、ある角度を有し、かつ頂点１６０において弾力を有する、好適なプラスチック材料から整形されており、このためこの中空部材は、ばね作用を有する。
より特定的には、区分１５６、１５８は、互いに離れるようにわずかにバイアスされており、小袋７２がその装着位置にあるときに、会陰部を覆うよう翼区分１４４ｂ、１４４ｃを広げる。これらの翼部は自由端部１５６ａ、１５８ａの間の縁部１４４ｄにおいて開いているため、横方向に容易に動かすことができ、それにより、これらばね区分は、使用者がコンドームの装着の後に着座する場合に、たがいに近づくように動くことが可能となる。このように動きが制限されない構造により、区分１５６、１５８は使用中に頂点１６０に対して動かすことができ、よって、図３３および図３４に示すように、端部１５６ａ、１６８ａをほとんど閉じた状態に、またほぼ全開した状態に、することができる。このような横方向の伸縮は、歩行、着座、のび等の広範囲の動き中に使用者に対して伸張部１４４の形状を調節することができるようにし、したがって、コンドームの装着による不快感をなくすことができる。
所望であれば、図１９に示した先の実施例と同様に、中空部材１５４は、使用者から外向きに曲がる区分１５６、１５８を有するようにすることができ、これにより、内向きの引張る作用を、上述の実施例の場合と同様に、中空部材１５４が平らになることによって吸収することが可能となる。このような動作は、使用者の会陰部に対する改善された適合をもたらす。なぜなら、ばね区分１５６、１５８が、骨盤の近辺で使用者の隣接する形状へと曲げることができ、一方で、ばね区分１５６、１５８の遠端の横方向の動きのためのピボット点となる頂点１６０を中心として、区分１５６、１５８を互いに近づけたり遠ざけたりするよう、横方向に自由に動かすことができるためである。
図３０〜３６のＶ字型のばね設計は、ロックおよび封止部材を含まない。なぜならこの設計においては、巻き上げ機構を有することなく包装されているためである。また、この設計において、小袋は図３６に示すように１６３において入れ子式にされている。入れ子部分は、正面のポケット１６４および背面のポケット１６５を含み、潤滑材はこれらのポケットの中に入れることができる。このコンドームは、指で、または、図３６に１６６として破線で示すアプリケータを使用して、用いることが可能である。
上記実施例と同様に、所望であれば抗生物質または殺精子薬を付加することも可能である。所望であれば、これら実施例に示したコンドームは、使用中に所望の潤滑材を提供できるように、潤滑材または殺精子薬を含むパッケージ内に配置することもできる。
本発明においては、女性用コンドームは、天然ゴム（たとえばラテックス）、合成ゴム（たとえばシリコンゴム）、またはポリウレタン等の、好ましくは弾性、不浸透性の物質からなる材料で形成することが可能である。
他の有益な材料としては、ポリエチレンを含む種々の熱可塑性材料等の、非弾性物質がある。
本発明の種々の実施例において示される保持用スポンジは、たとえば天然スポンジ材料等の、弾性の多孔性材料から、または、好適な、間隙を有し柔らかく多孔性のスポンジのような天然または合成材料から形成することができる。好適な材料としては、天然スポンジ材料、軟性ゴム開放格子材料、オープンセル吹付けタイプのポリウレタンフォーム等の、小さい形状に圧縮することができかつ、装着されるとその保持位置へと弾性により広がることが可能な材料を含む。間隙には、潤滑材、殺精子薬、殺真菌薬、殺菌薬、または抗ウィルス材等を注入することができ、これらは使用者を守るために適宜ゆっくりと解放することが可能である。
本発明を実行するためのベストモードをここに詳細に説明したが、本発明の関連分野における当業者には、本発明の実施のための種々の代替的な設計および実施例が認識されるであろう。
【図１】
0004011121.tif 000002
【図２】
0004011121.tif 000003
【図３】
0004011121.tif 000004
【図４】
0004011121.tif 000005
【図５】
0004011121.tif 000006
【図６】
0004011121.tif 000007
【図７】
0004011121.tif 000008
【図８】
0004011121.tif 000009
【図９】
0004011121.tif 000010
【図１０】
0004011121.tif 000011
【図１１】
0004011121.tif 000012
【図１２】
0004011121.tif 000013
【図１３】
0004011121.tif 000014
【図１４Ａ】
0004011121.tif 000015
【図１４Ｂ】
0004011121.tif 000016
【図１４Ｃ】
0004011121.tif 000017
【図１４Ｄ】
0004011121.tif 000018
【図１５】
0004011121.tif 000019
【図１６】
0004011121.tif 000020
【図１７】
0004011121.tif 000021
【図１８】
0004011121.tif 000022
【図１９】
0004011121.tif 000023
【図２０】
0004011121.tif 000024
【図２１】
0004011121.tif 000025
【図２２】
0004011121.tif 000026
【図２３】
0004011121.tif 000027
【図２４】
0004011121.tif 000028
【図２５】
0004011121.tif 000029
【図２６】
0004011121.tif 000030
【図２７】
0004011121.tif 000031
【図２８】
0004011121.tif 000032
【図２９】
0004011121.tif 000033
【図３０】
0004011121.tif 000034
【図３１】
0004011121.tif 000035
【図３２】
0004011121.tif 000036
【図３５】
0004011121.tif 000037
【図３３】
0004011121.tif 000038
【図３４】
0004011121.tif 000039
【図３６】
0004011121.tif 000040